(57)【要約】【課題】送金に関し、正規の受取人以外の者による不正な受け取りを抑制しつつ、送金人が、受取人の口座番号や受取人を特定する情報を入力等せずに、より簡単に手続きを進めることができる情報処理技術を提供することを課題とする。【解決手段】サーバ１に、プリペイド番号と関連付けて支払金の支払額を格納する送金データベースＤ１１と、受取人として指定される者を特定する指定受取人特定情報とプリペイド番号とを含む受取人登録要求を受信した場合に、プリペイド番号と関連付けて指定受取人特定情報を登録する受取人登録部Ｆ１１と、支払金の払出要求を受信した場合に、払出要求に含まれる受取希望者を特定する情報が、払出要求のプリペイド番号と関連付けて登録された指定受取人特定情報と一致するかを判定する受取人判定部Ｆ１２と、両情報が一致する場合に、支払金を受取希望者へ払い出す処理を実行する払出処理部Ｆ１３とを備えた。【選択図】図２
2016181192.tif 000002
【特許請求の範囲】
【請求項１】
ネットワークに接続される情報処理装置であって、
送金人が支払った支払金を識別する支払金識別情報と関連付けて、前記支払金の支払額を格納する支払額格納手段と、
支払金の受取人として指定される者を特定する指定受取人特定情報と支払金識別情報とを含む受取人登録要求を受信した場合に、前記受取人登録要求に含まれる支払金識別情報と関連付けて前記指定受取人特定情報を登録する受取人登録手段と、
受取希望者を特定する希望者特定情報を含む支払金の払出要求を受信した場合に、前記払出要求に含まれる希望者特定情報が、前記払出要求の支払金を識別する支払金識別情報と関連付けて登録された指定受取人特定情報と一致するか否かを判定する受取人判定手段と、
前記払出要求の希望者特定情報が前記指定受取人特定情報と一致すると判定された場合に、前記払出要求の支払金の支払額を前記支払額格納手段から抽出し、抽出した支払額に基づいて前記受取希望者へ前記支払金を払い出す処理を実行する払出処理手段と
を備える情報処理装置。
【請求項２】
前記受取人登録手段は、前記受取人登録要求に含まれる支払金識別情報と関連付けられた指定受取人特定情報が登録されていない場合に、前記指定受取人特定情報を登録する、
請求項１に記載の情報処理装置。
【請求項３】
前記払出処理手段は、前記払出要求の支払金を識別する支払金識別情報と関連付けられた指定受取人特定情報が登録されていない場合に、前記希望者特定情報の値に関わらず、前記支払金を払い出す処理を実行する、
請求項１または２に記載の情報処理装置。
【請求項４】
端末、及び、前記端末と通信可能なサーバを有する情報処理システムであって、
前記端末は、
受取希望者を特定する希望者特定情報を含む支払金の払出要求を前記サーバへ送信する払出要求手段と、
出金指示を前記サーバから受信した場合に、出金指示に従った出金処理を実行する出金手段と
を備え、
前記サーバは、
送金人が支払った支払金を識別する支払金識別情報と関連付けて、前記支払金の支払額を格納する支払額格納手段と、
支払金の受取人として指定される者を特定する指定受取人特定情報と支払金識別情報とを含む受取人登録要求を受信した場合に、前記受取人登録要求に含まれる支払金識別情報と関連付けて前記指定受取人特定情報を登録する受取人登録手段と、
受取希望者を特定する希望者特定情報を含む支払金の払出要求を前記端末から受信した場合に、前記払出要求に含まれる希望者特定情報が、前記払出要求の支払金を識別する支払金識別情報と関連付けて登録された指定受取人特定情報と一致するか否かを判定する受取人判定手段と、
前記払出要求の希望者特定情報が前記指定受取人特定情報と一致すると判定された場合に、前記払出要求の支払金の支払額を前記支払額格納手段から抽出し、抽出した支払額に基づく出金指示を、前記端末へ送信する払出処理手段と
を備える、
情報処理システム。
【請求項５】
送金人が支払った支払金を識別する支払金識別情報と関連付けて、前記支払金の支払額
を格納する支払額格納手段を有するコンピュータが、
支払金の受取人として指定される者を特定する指定受取人特定情報と支払金識別情報とを含む受取人登録要求を受信した場合に、前記受取人登録要求に含まれる支払金識別情報と関連付けて前記指定受取人特定情報を登録する受取人登録ステップと、
受取希望者を特定する希望者特定情報を含む支払金の払出要求を受信した場合に、前記払出要求に含まれる希望者特定情報が、前記払出要求の支払金を識別する支払金識別情報と関連付けて登録された指定受取人特定情報と一致するか否かを判定する受取人判定ステップと、
前記払出要求の希望者特定情報が前記指定受取人特定情報と一致すると判定された場合に、前記払出要求の支払金の支払額を前記支払額格納手段から抽出し、抽出した支払額に基づいて前記受取希望者へ前記支払金を払い出す処理を実行する払出処理ステップと
を実行する情報処理方法。
【請求項６】
送金人が支払った支払金を識別する支払金識別情報と関連付けて、前記支払金の支払額を格納する支払額格納手段を有するコンピュータに、
支払金の受取人として指定される者を特定する指定受取人特定情報と支払金識別情報とを含む受取人登録要求を受信した場合に、前記受取人登録要求に含まれる支払金識別情報と関連付けて前記指定受取人特定情報を登録する受取人登録ステップと、
受取希望者を特定する希望者特定情報を含む支払金の払出要求を受信した場合に、前記払出要求に含まれる希望者特定情報が、前記払出要求の支払金を識別する支払金識別情報と関連付けて登録された指定受取人特定情報と一致するか否かを判定する受取人判定ステップと、
前記払出要求の希望者特定情報が前記指定受取人特定情報と一致すると判定された場合に、前記払出要求の支払金の支払額を前記支払額格納手段から抽出し、抽出した支払額に基づいて前記受取希望者へ前記支払金を払い出す処理を実行する払出処理ステップと
を実行させるためのプログラム。
【発明の詳細な説明】
【技術分野】
【０００１】
本発明は、送金を処理する情報処理技術に関する。
【背景技術】
【０００２】
送金の相手が金融機関に口座を開設していない場合や、送金の相手の口座番号を知得していない場合であっても、送金を行いたいというニーズがある。
【０００３】
従来、このようなニーズに対応する技術として、一時送金口座を用いた送金システムが提案されている（特許文献１を参照）。この送金システムでは、金融処理装置が、ＡＴＭ（Ａｕｔｏｍａｔｅｄ  Ｔｅｌｌｅｒ  Ｍａｃｈｉｎｅ）から送金依頼を受け取ると、送金人の口座から送金金額を引き出し、受取人の本人情報を含む一時送金口座のレコードを生成する。更に、金融処理装置は、ＡＴＭから支払い依頼を受け取ると、一時送金口座のレコードを読み込み、受取人の本人情報をチェックして出金処理を行う。送金を支援する技術は、他にも提案されている（例えば、特許文献２〜４を参照）。
【先行技術文献】
【特許文献】
【０００４】
【特許文献１】特開平１１−２６５４１３号公報
【特許文献２】特開２００３−３０８４３７号公報
【特許文献３】特開２００２−００７９４３号公報
【特許文献４】特開２０１０−１０８１７７号公報
【発明の概要】
【発明が解決しようとする課題】
【０００５】
上述の一時送金口座を用いる送金システムでは、送金依頼の際に、氏名、生年月日、住所等の受取人を特定する本人情報が送金人によって入力され、出金処理の際に、受取人の本人情報がチェックされる。そのため、正規の受取人以外の者による不正な金銭の受け取りが抑制される。
【０００６】
しかし、送金人は、送金を所望した際に、受取人を特定する情報を不足なく把握しているとは限らない。また、受取人を特定する情報を誤りなく慎重に入力する作業は、送金人にとって負担となり得る。
【０００７】
このような状況に鑑み、本発明は、送金に関し、正規の受取人以外の者による不正な受け取りを抑制しつつ、送金人が、受取人の口座番号や受取人を特定する情報を入力等せずに、より簡単に手続きを進めることができる情報処理技術を提供することを課題とする。
【課題を解決するための手段】
【０００８】
本発明では、上記課題を解決するために、以下の手段を採用した。すなわち、本発明は、次の情報処理装置である。ネットワークに接続される情報処理装置であって、送金人が支払った支払金を識別する支払金識別情報と関連付けて、前記支払金の支払額を格納する支払額格納手段と、支払金の受取人として指定される者を特定する指定受取人特定情報と支払金識別情報とを含む受取人登録要求を受信した場合に、前記受取人登録要求に含まれる支払金識別情報と関連付けて前記指定受取人特定情報を登録する受取人登録手段と、受取希望者を特定する希望者特定情報を含む支払金の払出要求を受信した場合に、前記払出要求に含まれる希望者特定情報が、前記払出要求の支払金を識別する支払金識別情報と関連付けて登録された指定受取人特定情報と一致するか否かを判定する受取人判定手段と、
前記払出要求の希望者特定情報が前記指定受取人特定情報と一致すると判定された場合に、前記払出要求の支払金の支払額を前記支払額格納手段から抽出し、抽出した支払額に基づいて前記受取希望者へ前記支払金を払い出す処理を実行する払出処理手段とを備える情報処理装置。
【０００９】
ここで、受取人として指定される者及び受取希望者は、個人に限らず、法人である場合を含む。このような情報処理装置では、支払金が支払われた後、受取人登録要求が受信されたことを契機に、支払金の受取人として指定される者を特定する指定受取人特定情報が、登録され、受取希望者へ支払金を払い出す処理を実行する際の判定に用いられる。そのため、受取希望者等が、指定受取人特定情報を登録することで、他者による支払金の払い出しを抑制できる。また、送金の手続きにおいて、送金人が受取人に関する情報を入力等する必要がない。よって、正規の受取人以外の者による不正な支払金の受け取りを抑制しつつ、送金人が、受取人の口座番号や受取人を特定する情報を入力等せずに、より簡単に送金の手続きを進めることができる。
【００１０】
また、本発明に係る情報処理装置は、次の特徴を有するものであってもよい。前記受取人登録手段は、前記受取人登録要求に含まれる支払金識別情報と関連付けられた指定受取人特定情報が登録されていない場合に、前記指定受取人特定情報を登録する。
【００１１】
このような情報処理装置では、指定受取人特定情報が同一の支払金識別情報に関連付けられて重複して登録されることが回避されるので、支払金を払い出すことができる者を特定の者に確定できる。
【００１２】
また、本発明に係る情報処理装置は、次の特徴を有するものであってもよい。前記払出処理手段は、前記払出要求の支払金を識別する支払金識別情報と関連付けられた指定受取人特定情報が登録されていない場合に、前記希望者特定情報の値に関わらず、前記支払金を払い出す処理を実行する。
【００１３】
このような情報処理装置によれば、送金の手続きにおいて、支払金の受取人に関する情報の登録を伴う手順と、当該登録を伴わない手順との双方が許容されるので、受取人がより柔軟な手順を用いて支払金を払い出すことができる。
【００１４】
また、本発明は、次の情報処理システムであってもよい。端末、及び、前記端末と通信可能なサーバを有する情報処理システムであって、前記端末は、受取希望者を特定する希望者特定情報を含む支払金の払出要求を前記サーバへ送信する払出要求手段と、出金指示を前記サーバから受信した場合に、出金指示に従った出金処理を実行する出金手段とを備え、前記サーバは、送金人が支払った支払金を識別する支払金識別情報と関連付けて、前記支払金の支払額を格納する支払額格納手段と、支払金の受取人として指定される者を特定する指定受取人特定情報と支払金識別情報とを含む受取人登録要求を受信した場合に、前記受取人登録要求に含まれる支払金識別情報と関連付けて前記指定受取人特定情報を登録する受取人登録手段と、受取希望者を特定する希望者特定情報を含む支払金の払出要求を前記端末から受信した場合に、前記払出要求に含まれる希望者特定情報が、前記払出要求の支払金を識別する支払金識別情報と関連付けて登録された指定受取人特定情報と一致するか否かを判定する受取人判定手段と、前記払出要求の希望者特定情報が前記指定受取人特定情報と一致すると判定された場合に、前記払出要求の支払金の支払額を前記支払額格納手段から抽出し、抽出した支払額に基づく出金指示を、前記端末へ送信する払出処理手段とを備える、情報処理システム。
【００１５】
また、本発明は、情報処理装置、コンピュータその他の装置、機械等（以下、「コンピュータ等」とも表記する）によって実行される情報処理方法、または情報処理方法をコン
ピュータ等に実行させるためのプログラムとしても把握することが可能である。また、本発明は、そのようなプログラムをコンピュータ等が読み取り可能な記録媒体に記録したものとしても把握できる。ここで、コンピュータ等が読み取り可能な記録媒体とは、データやプログラム等の情報を電気的、磁気的、光学的、機械的、または化学的作用によって蓄積し、コンピュータ等から読み取ることができる記録媒体をいう。
【発明の効果】
【００１６】
本発明によれば、送金に関し、正規の受取人以外の者による不正な受け取りを抑制しつつ、送金人が、受取人の口座番号や受取人を特定する情報を入力等せずに、より簡単に手続きを進めることができる。
【図面の簡単な説明】
【００１７】
【図１】図１は、実施形態に係るサーバを含む送金システムのシステム構成を例示する図である。
【図２】図２は、実施形態における各装置の機能構成を例示する図である。
【図３】図３は、支払金テーブルのデータの例を示す図である。
【図４Ａ】図４Ａは、送金人の支払い処理の流れを例示する図である。
【図４Ｂ】図４Ｂは、受取人の登録処理の流れを例示する図である。
【図４Ｃ】図４Ｃは、支払金の払い出しの処理の流れを例示する図である。
【図５】図５は、サーバにおける受取人の登録処理の流れを例示するフローチャートである。
【図６】図６は、サーバにおける払い出しの決定処理の流れを例示するフローチャートである。
【発明を実施するための形態】
【００１８】
以下、本発明の実施の形態（以下、「本実施形態」とも表記する）を、図面に基づいて説明する。説明は、（１）システム構成、（２）機能構成、（３）処理の流れ、（４）作用効果、（５）変形例の順で記載される。なお、以下に説明する実施の形態は、本発明を実施する一例を示すものであって、本発明を以下に説明する具体的な構成に限定するものではない。
【００１９】
本実施形態の送金システム（「情報処理システム」の一例）では、送金の支払金を識別するプリペイド番号（「支払金識別情報」の一例）を用いた送金サービスが実現される。当該送金サービスでは、送金人が送金を仲介する金融機関へ支払金を支払い、当該支払金を識別するプリペイド番号の通知を金融機関から受け取る。一方、送金人等からプリペイド番号を知得した受取人が、所望の時に、当該プリペイド番号を用いて金融機関から支払金を払い出す。送金システムは、銀行等の金融機関が設置するサーバ、ＡＴＭ、及び窓口端末を含む。ここで、サーバは「情報処理装置」の一例であり、ＡＴＭ及び窓口端末は何れも「端末」の一例である。なお、本実施形態の送金システムでは、個人間の送金が対象であるが、法人との間の送金が対象であってもよい。この場合、例えば、個人の氏名の代わりに法人の名称、個人の住所の代わりに所在地の情報が取り扱われる。また、端末は、コンビニエンスストア等に設置され、店舗の店員等が操作するレジスタ端末であってもよい。
【００２０】
（システム構成）
図１は、本実施形態に係るサーバを含む送金システムのシステム構成を例示する図である。図１には、サーバ１、ＡＴＭ２、窓口端末３、勘定系システム４、受取人端末５、ネットワークＮ、及びインターネットＮ２が示されている。サーバ１、ＡＴＭ２、窓口端末３、及び勘定系システム４は、ネットワークＮを介して互いに通信可能である。また、サーバ１及び受取人端末５は、インターネットＮ２を介して互いに通信可能である。
【００２１】
サーバ１は、送金の支払金を管理し、プリペイド番号を用いた送金を処理するコンピュータである。サーバ１は、金融機関の計算センター等に設置される。本実施形態のサーバ１は、メインフレーム等の大型コンピュータであるが、ホストコンピュータ、ワークステーション、その他のコンピュータであってもよい。また、図１では、サーバ１が１台のコンピュータで例示されているが、サーバ１は、例えば、ネットワークで接続された複数台のコンピュータであってもよい。
【００２２】
サーバ１は、ＣＰＵ（Ｃｅｎｔｒａｌ  Ｐｒｏｃｅｓｓｉｎｇ  Ｕｎｉｔ）１１、ＲＡＭ（Ｒａｎｄｏｍ  Ａｃｃｅｓｓ  Ｍｅｍｏｒｙ）１２、ＲＯＭ（Ｒｅａｄ  Ｏｎｌｙ  Ｍｅｍｏｒｙ）１３、ＨＤＤ（Ｈａｒｄ  Ｄｉｓｋ  Ｄｒｉｖｅ）等の補助記憶装置１４、ネットワークＮに接続されるＮＩＣ（Ｎｅｔｗｏｒｋ  Ｉｎｔｅｒｆａｃｅ  Ｃｏｎｔｒｏｌｌｅｒ）１５、及びゲートウェイ等を介してインターネットＮ２に接続されるＮＩＣ１６を備えたコンピュータである。
【００２３】
ＣＰＵ１１は、中央処理装置であり、ＲＡＭ１２等に展開された各種プログラムの命令及びデータを処理することで、ＲＡＭ１２、補助記憶装置１４等を制御する。ＲＡＭ１２は、主記憶装置であり、ＣＰＵ１１によって制御され、各種命令やデータが書き込まれ、読み出される。補助記憶装置１４は、不揮発性の記憶装置であり、ＲＡＭ１２にロードされる各種プログラム等、永続性が求められる情報が書き込まれ、読み出される。
【００２４】
ＡＴＭ２は、預金者等が、キャッシュカードや預金通帳を使用して操作し、口座への預け入れ、口座からの引き出し等の各種入出金取引等を行うための装置である。本実施形態のＡＴＭ２は、プリペイド番号を用いた送金に関する手続きの操作を操作者へ提供する。ＡＴＭ２は、現金自動預払機とも呼ばれるものでもよい。図１では、１台のＡＴＭ２が例示されているが、送金システムは、各地域の施設等に設置される複数台のＡＴＭ２を有する。
【００２５】
ＡＴＭ２は、ＣＰＵ２１、ＲＡＭ２２、ＲＯＭ２３、補助記憶装置２４、及びネットワークＮに接続されるＮＩＣ２５を備えるコンピュータである。ＣＰＵ２１、ＲＡＭ２２、ＲＯＭ２３等は、ＡＴＭ２全体を制御する制御部として機能する。ＡＴＭ２は、キャッシュカード読取部２０１、現金を出し入れするための現金取扱部２０２、ディスプレイ等である表示部２０３、操作を受け付けるタッチパネルである操作部２０４、取引明細書印字部２０５、及びイメージスキャナ２０６を、更に備える。
【００２６】
キャッシュカード読取部２０１は、キャッシュカード取扱口に挿入されたキャッシュカードから情報を読み取る機器である。ここで、キャッシュカードは、金融機関によって口座の利用者に発行され、利用者が口座の入出金取引を行う権限を示すために用いるＩＣ（Ｉｎｔｅｇｒａｔｅｄ  Ｃｉｒｃｕｉｔ）カードである。キャッシュカードには、口座を識別する口座番号が記憶されている。また、取引明細書印字部２０５は、取引明細書を用紙に印字する機器であり、例えばサーマルプリンタである。また、イメージスキャナ２０６は、ＣＣＤ（Ｃｈａｒｇｅ  Ｃｏｕｐｌｅｄ  Ｄｅｖｉｃｅ）等のイメージセンサを用いて、提示された書類の表面を写した画像を光学的に読み取る機器である。
【００２７】
窓口端末３は、金融機関の店舗等の窓口に設置され、手続きを担当する窓口担当者が操作するコンピュータである。窓口端末３は、窓口における手続きに関する各種処理を行い、プリペイド番号を用いた送金に関する処理も行う。
【００２８】
勘定系システム４は、金融機関に開設された預金の口座の情報を管理し、勘定系の処理を行うコンピュータシステムである。勘定系システム４は、残高、名義人の氏名、住所、
名義人の認証用の暗証番号等を含む口座ごとの口座情報を管理する口座データベースを有する。
【００２９】
受取人端末５は、送金の正規の受取人等が使用する情報機器である。受取人端末５は、インターネットＮ２へアクセスして電子メールを送受信可能である。受取人端末５は、例えば、パーソナルコンピュータ、タブレット端末、スマートフォン、スマートグラス等である。
【００３０】
ネットワークＮは、専用の通信回線で構築された通信網である。ネットワークＮは、サーバ１、ＡＴＭ２、窓口端末３、及び勘定系システム４を接続する。なお、ネットワークＮとして、インターネットＶＰＮ（Ｖｉｒｔｕａｌ  Ｐｒｉｖａｔｅ  Ｎｅｔｗｏｒｋ）、ＷＡＮ（Ｗｉｄｅ  Ａｒｅａ  Ｎｅｔｗｏｒｋ）、その他のネットワークが採用されてもよい。
【００３１】
インターネットＮ２は、世界規模の公衆パケット通信網であり、サーバ１及び受取人端末５を接続する。なお、インターネットＮ２の代わりに、ＷＡＮやその他の通信網が採用されてもよい。
【００３２】
＜機能構成＞
図２は、本実施形態に係る各装置の機能構成を例示する図である。図２には、サーバ１及びＡＴＭ２の主な機能構成が示されている。
【００３３】
（サーバ１の機能）
サーバ１は、補助記憶装置１４に記憶されているプログラムが、ＲＡＭ１２に読み出され、ＣＰＵ１１によって実行されることで、送金データベースＤ１１、受取人登録部Ｆ１１、受取人判定部Ｆ１２、及び払出処理部Ｆ１３を備えるコンピュータとして機能する。受取人登録部Ｆ１１、受取人判定部Ｆ１２、及び払出処理部Ｆ１３は、それぞれ、「受取人登録手段」、「受取人判定手段」、及び「払出処理手段」の一例である。なお、本実施形態において、サーバ１の備える各機能は、汎用プロセッサであるＣＰＵ１１によって実行されるが、これらの機能の一部または全部は、１または複数の専用プロセッサ、ハードウェアの演算回路等によって実行されてもよい。ここで、ハードウェアの演算回路とは、例えば、論理ゲートを組み合わせた加算回路、乗算回路、フリップフロップ等をいう。また、これらの機能の一部または全部は、別途のコンピュータにおいて実行されてもよい。
【００３４】
送金データベースＤ１１は、プリペイド番号を用いた送金を管理するためのデータベースである。送金データベースＤ１１は、ＣＰＵ１１によって実行されるデータベース管理システム（ＤＢＭＳ）のプログラムが、補助記憶装置１４に記憶されるデータを管理することで構築される。送金データベースＤ１１は、例えば、リレーショナルデータベースである。送金データベースＤ１１は、支払金テーブルを有する。
【００３５】
図３は、支払金テーブルのデータの例を示す図である。送金データベースＤ１１の支払金テーブルは、プリペイド番号を用いた送金の支払金に関する各種情報を格納する。支払金テーブルは、「支払額格納手段」の一例である。支払金テーブルに格納されるレコード１件は、プリペイド番号を用いた送金１件のための支払金を示す支払金情報を表す。なお、本実施形態での支払金は、円を単位として管理されるが、日本国以外の通貨単位によって管理されてもよい。
【００３６】
図３が示すように、支払金テーブルのレコードは、プリペイド番号、ストック額、払出ステータス、指定受取人氏名、指定受取人住所、送金人氏名、送金人住所、実受取人氏名、及び実受取人住所のフィールドを有する。
【００３７】
プリペイド番号は、支払金を識別する識別情報である。支払金テーブルに格納される各レコードのプリペイド番号は、互いに重複しない値に設定される。なお、プリペイド番号の代わりに、英字等を含む文字列が用いられてもよい。ストック額は、送金のためにストックされる支払金の支払額を表す。払出ステータスは、支払金の払い出しの状態を表し、受取人への払い出しが可能であることを示す「払出可」、または受取人への払い出しが完了したことを示す「払出済」の値をとる。
【００３８】
指定受取人氏名は、支払金の受取人として指定される指定受取人の氏名を表す。指定受取人住所は、指定受取人の住所を表す。指定受取人氏名及び指定受取人住所は、指定受取人を特定する「指定受取人特定情報」の一例である。指定受取人が指定されていない場合には、指定受取人氏名及び指定受取人住所の値は未設定となる。
【００３９】
送金人氏名は、支払金を支払った送金人の氏名を表す。送金人住所は、送金人の住所を表す。送金人氏名及び送金人住所は、送金人を特定する特定情報である。
【００４０】
実受取人氏名は、払い出された支払金を実際に受け取った者である実受取人の氏名を表す。実受取人住所は、実受取人の住所を表す。実受取人氏名及び実受取人住所は、実受取人を特定する特定情報であり、支払金が払い出された際に設定される。
【００４１】
受取人登録部Ｆ１１は、支払金の受取人として指定される指定受取人を登録するための受取人登録要求を受信した場合に、指定受取人を特定する氏名及び住所の情報を、送金データベースＤ１１の支払金テーブルへ登録する。なお、本実施形態では、指定受取人を特定する情報として、氏名及び住所の組が採用されるが、氏名及び生年月日の組や市町村長が個人に対して付与する個人番号（マイナンバーとも称される番号）、運転免許証番号等、他の特定情報が採用されてもよい。
【００４２】
受取人判定部Ｆ１２は、受信した払出要求に含まれる支払金の受取希望者を特定する希望者特定情報が、当該支払金の登録された指定受取人を特定する情報と一致するか否かを判定する。
【００４３】
払出処理部Ｆ１３は、払出要求を受信した場合において、所定の払い出しの条件が充足されているときに、支払金を受取希望者へ払い出す処理を実行する。
【００４４】
（ＡＴＭ２の機能）
ＡＴＭ２は、補助記憶装置２４に記憶されているプログラムが、ＲＡＭ２２に読み出され、ＣＰＵ２１によって実行されることで、払出要求部Ｆ２１及び出金部Ｆ２２を備える装置して機能する。払出要求部Ｆ２１及び出金部Ｆ２２は、それぞれ、「払出要求手段」、及び「出金手段」の一例である。なお、これらの機能の一部または全部は、１または複数の専用プロセッサ、ハードウェアの演算回路等によって実行されてもよい。
【００４５】
払出要求部Ｆ２１は、本人確認がされた受取希望者を特定する氏名及び住所（「希望者特定情報」の一例）を含む払出要求をサーバ１へ送信する。送信される払出要求には、受取希望者によって入力されたプリペイド番号が含まれる。
【００４６】
出金部Ｆ２２は、現金の払い出しを指示する現金払出指示（「出金指示」の一例）をサーバ１から受信した場合に、受信した現金払出指示に従って、現金を現金取扱部２０２から排出する。
【００４７】
＜処理の流れ＞
本実施形態における送金システムの主な処理の流れを説明する。ここでは、送金人や受取人等が、送金システムとの間での各種情報の入出力や金銭の授受等を、ＡＴＭ２を用いて行う場合の処理の流れを中心に説明する。なお、送金人等は、窓口端末３を操作する窓口担当者との対話を通して各種情報の入出力や金銭の授受等を行ってもよい。この場合、窓口担当者が窓口端末３を操作することで、窓口端末３と送金システムとの間で各種情報の入出力等が行われる。また、ここで説明される処理の内容及び順序は一例であり、処理の内容及び順序には、実施の形態に適したものが適宜採用されることが好ましい。
【００４８】
図４Ａは、送金人の支払い処理の流れを例示する図である。この処理の流れでは、送金人がＡＴＭ２を操作して支払金を新たに支払い、支払金がサーバ１にストックされる。この処理の流れは、預金の口座を有する送金人が、ＡＴＭ２を操作してプリペイド番号を用いた送金における支払いのメニューを選択したことを契機に開始される。
【００４９】
ステップＳ１０１〜Ｓ１０２では、送金人が認証される。
【００５０】
まず、ステップＳ１０１では、送金人が、本人確認情報を提示する。具体的には、送金人は、キャッシュカードの挿入や暗証番号の入力を促すＡＴＭ２の表示に応じて、キャッシュカードをキャッシュカード取扱口へ挿入し、操作部２０４を介して、暗証番号を入力する。一方、ＡＴＭ２は、キャッシュカード読取部２０１を介して挿入されたキャッシュカードから口座番号を読み取り、入力された暗証番号を受け付ける。
【００５１】
次に、ステップＳ１０２では、ＡＴＭ２が、読み取った口座番号と受け付けた暗証番号との組を含む認証要求を、勘定系システム４へ送信して、送金人の認証を依頼する。一方、勘定系システム４は、口座データベースを用いて、認証要求に含まれる口座番号が識別する口座の口座情報を参照し、認証要求に含まれる暗証番号の正誤を判定する。勘定系システム４は、正誤の判定に基づく認証結果を、認証要求の要求元のＡＴＭ２へ送信する。ＡＴＭ２は、勘定系システム４から認証成功を示す認証結果を受信すると、送金人の認証処理を完了し、送金金額の入力を促す表示を画面に表示する。
【００５２】
なお、受取希望者がＡＴＭ２を操作する代わりに、窓口担当者が窓口端末３を操作する場合には、キャッシュカードの挿入及び暗証番号の入力による認証の代わりに、運転免許証、パスポート等の顔写真付き身分証明書等の提示に基づいた本人確認が行われてもよい。この場合、例えば、窓口担当者は、送金人によって提示された顔写真付き身分証明書を用いて送金人の本人確認を行い、当該身分証明書に記載された氏名及び住所を窓口端末３へ入力する。ここで入力された氏名及び住所は、送金人を特定する情報として取り扱われる。
【００５３】
ステップＳ１０３では、送金人が、ＡＴＭ２へ送金金額を入力し、ＡＴＭ２が入力された送金金額を受け付ける。
【００５４】
ステップＳ１０４では、ＡＴＭ２が、入力された送金金額を送金人の口座から支払う処理を実行する。具体的には、ＡＴＭ２は、勘定系システム４に、読み取った口座番号が識別する送金人の口座の残高から送金金額を減額する処理を依頼する。なお、本実施形態では、送金人の口座からの支払いが行われるが、現金取扱部２０２を介した現金による支払いが行われてもよい。また、ステップＳ１０４では、送金の利用手数料を送金金額に上乗せした額の支払い処理が実行されてもよい。また、キャッシュカードの代わりに通帳を用いて支払い元になる口座が特定されてもよい。
【００５５】
ステップＳ１０５では、ＡＴＭ２が、送金金額の新たな支払金のストックを要求するストック要求をサーバ１へ送信する。本実施形態では、送信されるストック要求には、ステ
ップＳ１０３で受け付けられた送金金額、送金人の氏名及び住所が含まれる。ＡＴＭ２は、送金人の口座の名義人の氏名及び住所を、勘定系システム４から取得し、当該氏名及び住所を送金人の氏名及び住所として、ストック要求に含める。
【００５６】
ステップＳ１０６では、サーバ１が、ストック要求を受信し、受信したストック要求に従って、新たな支払金情報を登録する。具体的には、まず、サーバ１は、新たなプリペイド番号を生成する。ここで生成されるプリペイド番号は、送金データベースＤ１１の支払金テーブルに格納されたレコードが有する何れのプリペイド番号とも重複しない番号である。プリペイド番号は、乱数に基づいて、予測困難な値として生成されてもよい。次に、サーバ１は、生成した新たなプリペイド番号で識別される新たな支払金情報を示すレコードを、支払金テーブルに追加する。追加される支払金情報のレコードでは、ストック金額の値がストック要求で要求された送金金額に設定され、払出ステータスの値が「払出可」に設定される。また、追加される支払金情報のレコードでは、指定受取人氏名及び指定受取人住所の情報が未設定であり、このことは、支払金情報が示す支払金に対して指定受取人が登録されていない状態にあることを意味する。また、追加される支払金情報のレコードでは、送金人氏名及び送金人住所の値が、ストック要求に含まれる送金人の氏名及び住所に設定される。
【００５７】
ステップＳ１０７では、サーバ１が、ステップＳ１０６で生成された新たなプリペイド番号を、ストック要求の要求元のＡＴＭ２へ通知する。
【００５８】
ステップＳ１０８では、ＡＴＭ２が、プリペイド番号を受信し、出力する。具体的には、ＡＴＭ２は、プリペイド番号を表示部２０３に表示するとともに、取引明細書印字部２０５を介して、プリペイド番号の表示を含む支払いの明細を用紙に印字し、当該用紙を排出する。
【００５９】
当該取引明細書等によりプリペイド番号を知得した送金人は、知得したプリペイド番号を、電子メール、電話、口頭等の各種連絡手段を用いて、送金相手へ通知する。通知を受けた送金相手は、支払金を払い出すことができるようになる。
【００６０】
図４Ｂは、受取人の登録処理の流れを例示する図である。この処理の流れでは、支払金の受取人として指定される指定受取人が登録される。
【００６１】
ステップＳ２０１では、支払金の受け取りが予定される正規の受取人が受取人端末５を操作し、操作を受け付けた受取人端末５が、受取人登録要求をサーバ１へ通知する。通知される受取人登録要求は、プリペイド番号により識別される支払金を対象とし、指定受取人の登録を要求するものである。本実施形態では、受取人登録要求が、所定の形式の本文を含む、所定のメールアドレス宛ての電子メールとして送信される。電子メールの本文には、対象となる支払金を識別するプリペイド番号と、指定受取人を特定する氏名及び住所とが含まれる。なお、正規の受取人を代理する者が、受取人登録要求をサーバ１へ通知するための操作を行ってもよい。
【００６２】
ステップＳ２０２では、サーバ１が、電子メールとして通知された受取人登録要求を受信し、受信した受取人登録要求に従って、受取人の登録処理を実行する。受取人の登録処理の詳細は、後述する。
【００６３】
ステップＳ２０３では、サーバ１が、実行した受取人の登録処理の結果を、受取人登録要求の要求元へ通知する。ここで通知される結果には、受取人の登録の成否の情報が含まれる。本実施形態では、サーバ１が、受取人登録要求の送信元アドレス宛ての電子メールを用いて当該通知を行う。
【００６４】
なお、本実施形態では、受取人登録要求や受取人の登録処理の結果の送受が、電子メールを用いて行われたが、Ｗｅｂページ等その他の通信手段を介して行われてもよい。
【００６５】
図４Ｃは、支払金の払い出し処理の流れを例示する図である。この処理の流れでは、支払金の受け取りを希望する受取希望者が、ＡＴＭ２を操作し、プリペイド番号を用いた送金の払い出しのメニューを選択したことを契機に開始される。
【００６６】
ステップＳ３０１では、受取希望者が、ＡＴＭ２のプリペイド番号の入力を促す表示に応じてＡＴＭ２を操作し、プリペイド番号を入力する。一方、ＡＴＭ２は、入力されたプリペイド番号を受け付け、本人確認情報の提示を促すメッセージを表示部２０３に表示する。
【００６７】
ステップＳ３０２では、受取希望者が、本人確認情報をＡＴＭ２に提示する。本実施形態では、（１）キャッシュカードの挿入及び暗証番号の入力による本人確認と、（２）氏名及び住所の入力、並びに本人確認書類の記載面の読み取りによる本人確認との２種類の本人確認が選択可能である。受取希望者は、選択に応じた本人確認情報を提示する。
【００６８】
ステップＳ３０３では、ＡＴＭ２が、提示された本人確認情報に基づいて、受取希望者の本人確認を行い、受取希望者を特定する氏名及び住所を取得する。（１）の本人確認が選択された場合、図４ＡのステップＳ１０１〜Ｓ１０２で送金人の認証が行われた例と同様に、キャッシュカードから読み取られた口座番号と入力された暗証番号に基づいて受取希望者の認証が行われる。この場合、当該認証の成功をもって本人確認が完了し、勘定系システム４の口座情報から取得される口座の名義人の氏名及び住所が、受取希望者を特定する氏名及び住所として取得される。一方、（２）の本人確認が選択された場合、ＡＴＭ２は、氏名及び住所の入力を操作部２０４から受け付けるとともに、イメージスキャナ２０６から受取希望者が提示する運転免許証等の本人確認書類の記載面を写した画像を読み取る。ＡＴＭ２は、入力された氏名、住所、及び読み取られた画像を用いて、所定の確認処理を実行し、データの矛盾等が検出されない場合に、本人確認を完了する。この場合、入力された氏名及び住所が受取希望者を特定する氏名及び住所として取得される。
【００６９】
なお、個人番号を記録する個人番号カードの挿入及び暗証番号の入力による本人確認が行われてもよい。また、受取希望者がＡＴＭ２を操作する代わりに、窓口担当者が窓口端末３を操作する場合には、運転免許証、パスポート等の顔写真付き身分証明書等提示に基づいた窓口での本人確認が行われてもよい。この場合、窓口担当者は、本人確認を終えると、当該身分証明書に記載された氏名及び住所を受取希望者の氏名及び住所として窓口端末３へ入力する。
【００７０】
ステップＳ３０４では、ＡＴＭ２の払出要求部Ｆ２１が、入力されたプリペイド番号が識別する支払金の払い出しを要求する払出要求を、サーバ１へ送信する。ＡＴＭ２は、ステップＳ３０１で入力されたプリペイド番号と、ステップＳ３０３で取得された受取希望者を特定する氏名及び住所とを含む払出要求をサーバ１へ送信する。
【００７１】
ステップＳ３０５では、サーバ１が、払出要求を受信し、払出要求に含まれるプリペイド番号が識別する支払金の払い出しの条件の充足を確認した上で、払い出しの決定を行う。サーバ１は、払い出しの決定を行うと、現金の払い出しを指示する現金払出指示を、払出要求の要求元のＡＴＭ２へ通知する。ここで通知される現金払出指示は払出額を含み、当該払出額は支払金のストック額に対応する額である。当該払い出しの決定処理の詳細については後述する。なお、サーバ１で払い出しを行わない決定がされた場合、支払金の払い出しが行われないまま、支払金の払い出し処理の流れが終了する。
【００７２】
ステップＳ３０６では、ＡＴＭ２の出金部Ｆ２２が、現金払出指示を受信し、受信した現金払出指示に従って、現金払出指示に含まれる払出額の現金を現金取扱部２０２から排出する。受取希望者は、現金で支払金を受け取り、送金人からの送金が実現されたことになる。
【００７３】
ステップＳ３０７では、ＡＴＭ２が、現金払出指示に応じた現金払出の完了を示す払出完了情報をサーバ１へ送信する。
【００７４】
ステップＳ３０８では、サーバ１が、払出完了情報を受信し、支払金の払い出しが完了したことを記録する。具体的には、サーバ１の払出処理部Ｆ１３は、送金データベースＤ１１の支払金テーブルに格納されるレコードのうち、ステップＳ３０５で受信された払出要求の支払金を示す支払金情報のレコードにおける払出ステータスの値を「払出済」に更新する。また、払出処理部Ｆ１３は、当該レコードの実受取人氏名、及び実受取人住所の値に、ステップＳ３０５で受信された払出要求に含まれる受取希望者の氏名及び住所を設定する。なお、サーバ１は、支払金の払い出しが完了したことを記録する際、プリペイド番号が識別する支払金が払い出された旨のメッセージと、設定された実受取人氏名及び実受取人住所の値とを本文に含む電子メールを送金人宛てに通知してもよい。この場合、事前に登録された送金人のメールアドレス宛てに電子メールを通知する。このようにすることで、送金人が、支払金の払い出しを早期に把握できる。
【００７５】
図５は、サーバ１における受取人の登録処理の流れを例示するフローチャートである。この処理の流れは、図４ＢにおけるステップＳ２０２の処理の詳細を示す。この処理の流れは、サーバ１が、受取人登録要求の電子メールを受信したことを契機に開始する。
【００７６】
ステップＳ４０１では、サーバ１の受取人登録部Ｆ１１が、受信した電子メールの本文の構文解析等を行い、受取人登録要求から、プリペイド番号、指定受取人の氏名及び住所を取得する。
【００７７】
ステップＳ４０２では、受取人登録部Ｆ１１が、受取人登録要求の登録対象の支払金を示す支払金情報を取得する。具体的には、受取人登録部Ｆ１１は、送金データベースＤ１１の支払金テーブルに格納されたレコードのうちから、ステップＳ４０１で取得されたプリペイド番号を有するレコードを抽出する。受取人登録部Ｆ１１は、当該抽出したレコードが示す支払金情報を、登録対象の支払金を示す情報として取得する。
【００７８】
ステップＳ４０３では、受取人登録部Ｆ１１が、登録対象の支払金に対して指定受取人の情報が登録されているか否かを判定する。受取人登録部Ｆ１１は、支払金情報の指定受取人氏名及び指定受取人住所に値が設定されている場合に、登録対象の支払金に対して指定受取人の情報が登録されていると判定する。ステップＳ４０３で登録対象の支払金に対して指定受取人の登録がされていると判定されなかった場合（Ｓ４０３；Ｎｏ）、処理はステップＳ４０５へ進む。一方、ステップＳ４０３で登録対象の支払金に対して指定受取人の情報が登録されていると判定された場合（Ｓ４０３；Ｙｅｓ）、処理はステップＳ４０４へ進む。
【００７９】
ステップＳ４０４では、受取人登録部Ｆ１１が、指定受取人が登録済であることを事由としたエラー情報を、受取人登録要求の要求元へ通知する。具体的には、受取人登録部Ｆ１１は、受取人登録要求の送信元アドレス宛てに電子メールでエラー情報を通知する。この場合、受取人の新たな登録は行われずに、受取人の登録処理の流れが終了する。
【００８０】
なお、受取人登録要求には、指定受取人を認証するための暗証番号が含められてもよい
。この場合、サーバ１の受取人登録部Ｆ１１は、受信された受取人登録要求の電子メールに含まれる暗証番号をプリペイド番号と関連付けて登録する。登録された暗証番号は、支払金の受取希望者がプリペイド番号を用いて支払金を払い出す手続きをする際に、受取希望者と指定受取人とが同一であることを確認するために用いられる。
【００８１】
ステップＳ４０５では、受取人登録部Ｆ１１が、指定受取人を特定する情報を登録する。具体的には、受取人登録部Ｆ１１は、ステップＳ４０２で取得された支払金情報のレコードの指定受取人氏名及び指定受取人住所の値を、受取人登録要求から取得された氏名及び住所に設定する。プリペイド番号と関連付けられて指定受取人氏名及び指定受取人住所が登録されたことになる。
【００８２】
図６は、サーバ１における払い出しの決定の処理の流れを例示するフローチャートである。この処理の流れは、図４ＣにおけるステップＳ３０５の処理の詳細を示す。この処理の流れは、サーバ１が払出要求を受信したことを契機に開始する。
【００８３】
ステップＳ５０１では、払出処理部Ｆ１３が、払出要求の要求対象の支払金を示す支払金情報を取得する。具体的には、払出処理部Ｆ１３は、送金データベースＤ１１の支払金テーブルに格納されたレコードのうちから、受信された払出要求に含まれるプリペイド番号を有するレコードを抽出する。払出処理部Ｆ１３は、当該抽出したレコードが示す支払金情報を、要求対象の支払金を示す情報として取得する。
【００８４】
ステップＳ５０２〜Ｓ５０６では、支払金の払い出しの条件の充足が確認される。各ステップにより払い出しの条件が充足されていると確認された場合には、処理はステップＳ５０７へ進むことになる。
【００８５】
ステップＳ５０２では、払出処理部Ｆ１３が、要求対象の支払金が払出済であるか否かを判定する。払出処理部Ｆ１３は、ステップＳ５０１で取得された支払金情報の払出ステータスが「払出済」である場合に、要求対象の支払金が払出済であると判定する。ステップＳ５０２で要求対象の支払金が払出済であると判定された場合（Ｓ５０２；Ｙｅｓ）、処理はステップＳ５０３へ進む。一方、ステップＳ５０２で要求対象の支払金が払出済であると判定されなかった場合（Ｓ５０２；Ｎｏ）、処理はステップＳ５０４へ進む。
【００８６】
ステップＳ５０３では、払出処理部Ｆ１３が、払出済を事由としたエラー情報を、払出要求の要求元のＡＴＭ２へ通知する。通知されるエラー情報には、支払金情報の実受取人氏名及び実受取人住所が含まれ、エラー情報から支払金を払い出した者を把握可能となる。また、支払金情報において、実受取人氏名及び実受取人住所が、送金人氏名及び送金人住所と一致する場合には、エラー情報には、送金人が払い出した旨のメッセージが含まれる。エラー情報の通知が完了すると、払出処理部Ｆ１３が払い出しを行わない決定をし、払い出しの決定の処理の流れが終了する。
【００８７】
ステップＳ５０４では、払出処理部Ｆ１３が、要求対象の支払金に対して指定受取人の登録がされているか否かを判定する。払出処理部Ｆ１３は、ステップＳ５０１で取得された支払金情報の受取人氏名及び受取人住所に値が設定されている場合に、要求対象の支払金に対する指定受取人の登録がされていると判定する。ステップＳ５０４で要求対象の支払金に対する指定受取人の登録がされていると判定されなかった場合（Ｓ５０４；Ｎｏ）、処理はステップＳ５０７へ進む。この場合には、支払金の払い出しを求めた者が何れの者であるかに関わらず、払い出しを行うことが決定されることになる。一方、ステップＳ５０４で要求対象の支払金に対する指定受取人の登録がされていると判定された場合（Ｓ５０４；Ｙｅｓ）、処理はステップＳ５０５へ進む。
【００８８】
ステップＳ５０５では、受取人判定部Ｆ１２が、払出要求の受取希望者を特定する情報と支払金情報の指定受取人を特定する情報とを照合し、両情報が一致するか否かを判定する。具体的には、受取人判定部Ｆ１２は、受信された払出要求に含まれる氏名及び住所の組と、ステップＳ５０１で取得された支払金情報の指定受取人氏名及び指定受取人住所の組との同一性を判定する。なお、本実施形態では、両組の氏名及び住所が表記の違い（異体字や番地表記の態様の違い等）を有していても、実質的に同一であるときは、両情報が一致すると判定される。
【００８９】
ステップＳ５０５で払出要求の受取希望者を特定する情報と支払金情報の指定受取人を特定する情報とが一致すると判定された場合（Ｓ５０５；Ｙｅｓ）、処理はステップＳ５０７へ進む。ステップＳ５０５で払出要求の受取希望者を特定する情報と支払金情報の指定受取人を特定する情報とが一致すると判定されなかった場合（Ｓ５０５；Ｎｏ）、処理はステップＳ５０６へ進む。
【００９０】
ステップＳ５０６では、払出処理部Ｆ１３が、支払金の払い出しの権限なき者からの払出要求がされたことを事由としたエラー情報を、払出要求の要求元のＡＴＭ２へ通知する。この場合、払い出しを行わない決定がされ、払い出しの決定の処理の流れが終了する。
【００９１】
ステップＳ５０７では、払出処理部Ｆ１３が、払い出しを行うことを決定し、現金の払い出しを指示する現金払出指示を、払出要求の要求元のＡＴＭ２へ通知する。ここで通知される現金払出指示には、ステップＳ５０１で取得された支払金情報のストック額が払出額として設定される。なお、払出額は、ストック額から手数料を差し引いた額であってもよい。
【００９２】
＜作用効果＞
以上説明した本実施形態では、送金人によって支払金が支払われた後に、プリペイド番号を送金人等から知得した正規の受取人等が、受取人登録要求を電子メールでサーバ１へ送信することで、プリペイド番号が識別する支払金に対して指定受取人を登録できた。そして、支払金の払い出しの際には、受取希望者を特定する情報と指定受取人を特定する情報とが一致する否かが判定された。そのため、正規の受取人による払い出しよりも前に、送金人自身やプリペイド番号を盗み見た第三者等によって支払金が払い出されてしまうことを抑制できる。また、送金人が支払金を支払い、通知されたプリペイド番号を受取人へ通知するだけで、受取人による支払金の払い出しが可能となり、送金人側の送金の手続きが完了した。送金人は、送金の手続きの中で、受取人の口座番号や氏名、住所等の情報を入力等することを要しなかった。送金人は、口座番号や住所等を事前に受取人に問い合わせておく必要もない。よって、正規の受取人以外の者による不正な支払金の受け取りを抑制しつつ、送金人が、簡単迅速に送金の手続きを進めることができる。
【００９３】
また、本実施形態で実現される送金では、受取人が、口座番号、氏名、住所等の自己の個人情報を送金人へ伝える必要がないので、受取人の個人情報が悪用されるリスクを低減できる。
【００９４】
また、本実施形態では、指定受取人が登録されていなくても、支払金の払い出しが可能であった。よって、支払金の指定受取人の登録を伴う手順と、当該登録を伴わない手順との双方が選択可能であり、より柔軟な手順での送金の支払金を払い出すことが可能となる。例えば、他者に支払金が払い出されるリスクが低い場合に、指定受取人を登録しない簡単な手順で支払金の払い出しができる。また、他者に支払金が払い出されるリスクが高い場合に、インターネットＮ２を介して、指定受取人を早期に登録して当該リスクを低減することもできる。
【００９５】
＜変形例＞
（インターネットバンキングを用いた送金）
上述の実施形態では、送金人が支払金を支払う手続きや、支払金の受取希望者が支払金を払い出す手続きが、ＡＴＭ２や窓口端末３を介して行われた。これらの手続きは、インターネットバンキングシステムを介して行われてもよい。このような変形例について、上述の実施形態と異なる点を中心に説明する。
【００９６】
この変形例では、インターネットバンキングシステムのＷｅｂサーバが、送金人や受取希望者が操作する端末に対して、プリペイド番号を用いた送金に関する各種手続きを行うためのＷｅｂページを提供する。また、送金人及び受取希望者の本人確認は、インターネットバンキングシステムにおけるログイン機能による認証によって実現される。また、送金人による支払金の支払いは、認証された送金人が開設する口座からの出金処理によって実現される。また、支払金の払い出しは、認証された受取希望者が開設する口座への入金処理によって実現される。
【００９７】
このような変形例によれば、送金人や受取希望者が、ＡＴＭ２や窓口端末３が設置される店舗等へ出向くことなく、インターネットを介してより簡単迅速に送金を行うことができる。
【００９８】
（プリペイド番号を用いない払い出し）
上述の実施形態では、支払金の払い出しの際、支払金の受取希望者によってプリペイド番号が入力され（図４ＣのステップＳ３０１を参照）、入力されたプリペイド番号を含む払出要求が、ＡＴＭ２等からサーバ１へ送信された。これに対して、ＡＴＭ２等からサーバ１へ送信される払出要求に、プリペイド番号が含まれない変形例について、上述の実施形態と異なる点を中心に説明する。
【００９９】
上述の実施形態では、図６のステップＳ５０１において、サーバ１の払出処理部Ｆ１３が、受信された払出要求に含まれるプリペイド番号に基づいて、要求対象の支払金を示す支払金情報を取得した。この変形例では、サーバ１の払出処理部Ｆ１３が、受信された払出要求に含まれる受取希望者の氏名及び住所に基づいて要求対象の支払金を示す支払金情報を取得する。払出処理部Ｆ１３は、送金データベースＤ１１の支払金テーブルが格納するレコードのうちから、指定受取人氏名及び指定受取人住所の値が受取希望者の氏名及び住所であるレコードを抽出し、当該抽出したレコードが示す支払金情報を、要求対象の支払金を示す情報として取得する。ここでは、複数の支払金情報が取得され得る。払出処理部Ｆ１３は、取得した支払金情報それぞれが示す支払金のうち、払出済でない支払金について、払い出しを行うことを決定し、現金払出指示を、払出要求の要求元へ通知する。
【０１００】
このような変形例では、払出要求にプリペイド番号が含まれないので、ＡＴＭ２におけるプリペイド番号の入力が不要となる。そのため、受取希望者が、プリペイド番号をＡＴＭ２等へ入力せずに、より簡単に支払金を払い出すことができる。
【０１０１】
（送金人の確認までの払い出しの制限）
上述の実施形態では、支払金の払い出しの条件として、払出要求の受取希望者を特定する情報と支払金情報の指定受取人を特定する情報とが一致することが確認された（図６のステップＳ５０５）。支払金の払い出しの条件として、更に、送金人が支払金の払い出しを許可していることが確認されてもよい。このような変形例について、上述の実施形態と異なる点を中心に説明する。
【０１０２】
この変形例では、サーバ１の払出処理部Ｆ１３が、払出要求の要求対象の支払金を示す支払金情報の払出ステータスが「払出可」の値である場合に限り、当該支払金の払い出し
を行うことを決定し、現金払出指示を、払出要求の要求元へ通知する。送金データベースＤ１１の支払金テーブルにおける支払金情報のレコードの払出ステータスは、受取人への払い出しが制限されていることを示す「払出制限」の値をとり得る。図４ＡのステップＳ１０６で、サーバ１が、ストック要求に従って、新たな支払金情報を登録する際、支払金テーブルに追加される新たな支払金情報を示すレコードの払出ステータスは、「払出制限」の値に設定される。送金人が、ＡＴＭ２等を介して、支払金の払い出しを許可する手続きを行った場合に、サーバ１が、当該支払金情報を示すレコードの払出ステータスを「払出可」に更新する。
【０１０３】
このような変形例によれば、送金人による支払金の払い出しを許可する手続き有無に起因して支払金の払い出しの可否が変化し得るので、送金人が、送金の支払金の払い出しが可能になるタイミングを制御できる。例えば、送金人が、商品の代金の支払いのために送金を行う場合に、当該商品を受け取ってから、送金の支払金を払い出し可能とすることができる。なお、支払金の払い出しの条件として、更に、払出要求を受信した時点が、送金人により指定された払出時期にあることが確認されてもよい。このようにすることで、送金人が、送金の支払金を払い出すことが可能な時期を制限できる。
【０１０４】
（照会機能）
送金システムは、プリペイド番号を用いた送金の受取有無の照会機能を、送金人等に提供してもよい。この場合、ＡＴＭ２は、当該照会機能のメニューの選択を受け付けた後、プリペイド番号の入力操作を受け付けて、入力されたプリペイド番号を含む受取照会要求をサーバ１へ送信する。一方、サーバ１は、受取照会要求を受信し、プリペイド番号が識別する支払金情報を、送金データベースＤ１１の支払金テーブルから取得する。サーバ１は、取得した支払金情報の払出ステータスが「払出済」である場合に、送金の支払金が受け取られている旨のメッセージを受取照合要求の要求元のＡＴＭ２へ送信し、ＡＴＭ２に表示させる。当該メッセージには、支払金情報の実受取人氏名、及び実受取人住所の値が含まれてもよい。
【符号の説明】
【０１０５】
１  サーバ（情報処理装置、コンピュータ）
２  ＡＴＭ（端末）
３  窓口端末（端末）
４  勘定系システム
５  受取人端末
Ｄ１１  送金データベース
Ｎ  ネットワーク
Ｎ２  インターネット
【図１】
2016181192.tif 000003
【図２】
2016181192.tif 000004
【図３】
2016181192.tif 000005
【図４Ａ】
2016181192.tif 000006
【図４Ｂ】
2016181192.tif 000007
【図４Ｃ】
2016181192.tif 000008
【図５】
2016181192.tif 000009
【図６】
2016181192.tif 000010